(57)【要約】【課題】スクリーンに対する最適設置位置をユーザにわかりやすく表示して誘導する。【解決手段】カメラ６はその投射方向を撮影し、スクリーン判定手段９は、カメラ６の撮影結果に基づいてスクリーンの投射範囲を検出し、スクリーンに対する投射型表示装置の相対的な位置情報を判定する。また設置場所誘導手段１０は、スクリーン判定手段９が判定した位置情報に基づいて、投射画像をスクリーンの投射面内に投射できる位置に投射型表示装置を設置できるように誘導を行う。この誘導場所設置手段１０は、例えば、複数のＬＥＤや方向キーにより構成され、スクリーン判定手段９が判定した設置位置情報に基づいて、投射型表示装置の現在の設置位置を視覚的に認識できるように表示する。そしてユーザはこの表示を見ながら、容易に投射型表示装置の位置設定を行うことができる。【選択図】図１
2005311744.tif 000002
【特許請求の範囲】
【請求項１】
光源と、該光源から出射した光を変調させる画像を生成する表示デバイスと、該表示デバイスで変調された画像光を画像スクリーンに投射する投射光学系を有する投射型表示装置において、該投射型表示装置は、該投射型表示装置の投射する方向にあるスクリーンを撮影する撮影手段と、該撮影手段の撮影結果に基づいてスクリーンの投射範囲を検出し、該検出したスクリーンの投射範囲に基づいて前記投射型表示装置の設置位置を判定するスクリーン判定手段と、前記スクリーン判定手段が判定した設置位置情報に基づいて投射画像を該スクリーンの投射範囲に投射できる位置に前記投射型表示装置を設置できるように誘導を行う設置場所誘導手段とを有することを特徴とする投射型表示装置。
【請求項２】
請求項１に記載の投射型表示装置において、該投射型表示装置は、前記スクリーン判定手段による判定結果に基づいて投射画像の台形歪みを補正する台形補正手段を有し、前記表示デバイスは、前記台形補正手段で補正された画像信号に従って画像を生成することを特徴とする投射型表示装置。
【請求項３】
請求項１または２に記載の投射型表示装置において、前記台形補正手段及び前記投射光学系のズーミングにより前記スクリーンの投射範囲に投射画像光を投射できる範囲を投射型表示装置の設置可能範囲とし、前記スクリーン判定手段は、前記撮影手段により撮影した撮影結果に基づいてスクリーンの投射範囲を検出し、該検出した投射範囲に基づいて該スクリーンに対する前記投射光学系の投射角度と前記スクリーンまでの投射距離とを判定し、該判定した前記投射角度及び投射距離と、前記台形補正手段の補正特性及び前記投射光学系のズーミング特性とから、前記設置可能範囲に対する前記投射型表示装置の相対的な設置位置を判定し、前記設置場所誘導手段は、前記スクリーン判定手段が判定した前記設置位置情報に基づいて該投射型表示装置を前記設置可能範囲に誘導するための表示を行うことを特徴とする投射型表示装置。
【請求項４】
請求項３に記載の投射型表示装置において、前記設置場所誘導手段は、複数のＬＥＤを有し、前記スクリーン判定手段が判定した前記設置位置情報に基づいて、前記設置可能範囲に対する前記投射型表示装置の現在の設置位置をＬＥＤによって視覚的に認識できるように表示することを特徴とする投射型表示装置。
【請求項５】
請求項３に記載の投射型表示装置において、該投射型表示装置のメニュー操作用の方向キーを有し、該方向キーのそれぞれにＬＥＤが備えられ、前記設置場所誘導手段は、前記スクリーン判定手段が判定した前記設置位置情報に基づいて、前記設置可能範囲に対する前記投射型表示装置の現在の設置位置を前記方向キーが備えたＬＥＤによって視覚的に認識できるように表示することを特徴とする投射型表示装置。
【発明の詳細な説明】
【技術分野】
【０００１】
本発明は、投射型表示装置、より詳細には、スクリーン等の被投射面に対する最適な設置位置を簡便に設定できるようにした投射型表示装置に関する。
【背景技術】
【０００２】
従来、投射型表示装置を設置する際には、まずユーザは、適当な設置場所に投射型表示装置を置いて電源を投入し、スクリーンに投射された画面を見ながら、投射型表示装置を前後左右に移動させたりズーム調整を行ったりして、スクリーン内に投射画像が入るような適切な設置場所を見つけ出さなければならなかった。
【０００３】
また、投射画像の問題に関して、スクリーンに対する斜め投射によって生じる台形歪み調整等を自動的に行うようにした投射型表示装置がある。このような台形補正は電気的な補正であるため、入力信号の画素を間引く処理となり、その結果、表示情報が失われる。このときに補正する量が少ないほど、失われる情報量が少ないため、補正量を最小限にする方が好ましい。実用的な範囲として設定される設置可能範囲に投射型表示装置を設置する場合、台形補正を行っても大きな文字の表示等には問題は生じにくいが、表計算ソフトウェア等による線が多用されている表示や細かい文字がある表示の場合は、台形補正によって線や文字の欠けが顕著に表われるので、補正量の少ない最適な位置に投射型表示装置を設置する必要がある。
【０００４】
上記のような投影画像の自動調整に関し、投射画像のフォーカス調整、スクリーン枠までのズーム調整、斜め投射による台形歪み調整等を自動的に行うようにした技術として、特許文献１が開示されている。特許文献１では、投射型表示装置からフォーカス調整用のテストパターンをスクリーンに投射し、投射型表示装置本体前面に設置されたモニタカメラによって撮像されたテストパターンの映像信号を処理して、投射画像のフォーカス調整値、ズーミング調整値、及び台形歪み調整値を行うようにした、プロジェクタの自動画面位置調整方法と装置が開示されている。
【特許文献１】特開２０００−２４１８７４号公報
【発明の開示】
【発明が解決しようとする課題】
【０００５】
近年、投射型表示装置はその明るさが増す方向にあり、例えば、ユーザがテストパターン等の投射画像を確認しながら投射型表示装置の設置位置の調整を行う場合に、投射画像が明るいために眼が疲労しやすくなるという問題が生じる。また、ユーザは、投射型表示装置の高さ調整を行うために、手元を見たり投射画面を見たりする動作を繰り返すために、さらに眼の疲労が生じる原因にもなっている。
【０００６】
また、投射型表示装置の設置位置の調整の際に、装置にＲＧＢケーブルやビデオケーブルを接続して投射画像を投射したような場合、それらケーブルを引きずりながら、投射型表示装置を最適位置に移動させなければならないこともある。
【０００７】
また、上記特許文献１の技術は、テストパターンの撮像結果に従ってズーム調整を行なうことにより、投射画像がスクリーン内で投射できることを前提としている。しかしながら、ズーム調整を行っても投射画像をスクリーン内に納めることができない位置に、投射型表示装置が最初に設置されたようなときには、上記の特許文献１の技術では対応することができない。
【０００８】
本発明は、上述のごとき実状に鑑みてなされたものであって、テストパターン等の調整用投射画像を投射する必要なく、スクリーンに対する最適設置位置をユーザにわかりやすく表示して誘導することにより、設置時のユーザの負担を軽減できるようにした投射型表示装置を提供することを目的とする
【課題を解決するための手段】
【０００９】
第１の技術手段は、光源と、光源から出射した光を変調させる画像を生成する表示デバイスと、表示デバイスで変調された画像光を画像スクリーンに投射する投射光学系を有する投射型表示装置において、投射型表示装置は、投射型表示装置の投射する方向にあるスクリーンを撮影する撮影手段と、撮影手段の撮影結果に基づいてスクリーンの投射範囲を検出し、検出したスクリーンの投射範囲に基づいて投射型表示装置の設置位置を判定するスクリーン判定手段と、スクリーン判定手段が判定した設置位置情報に基づいて投射画像をスクリーンの投射範囲に投射できる位置に投射型表示装置を設置できるように誘導を行う設置場所誘導手段とを有することを特徴としたものである。
【００１０】
第２の技術手段は、第１の技術手段において、投射型表示装置が、スクリーン判定手段による判定結果に基づいて投射画像の台形歪みを補正する台形補正手段を有し、表示デバイスは、台形補正手段で補正された画像信号に従って画像を生成することを特徴としたものである。
【００１１】
第３の技術手段は、第１または第２の技術手段において、台形補正手段及び投射光学系のズーミングによりスクリーンの投射範囲に投射画像光を投射できる範囲を投射型表示装置の設置可能範囲とし、スクリーン判定手段は、撮影手段により撮影した撮影結果に基づいてスクリーンの投射範囲を検出し、検出した投射範囲に基づいてスクリーンに対する投射光学系の投射角度とスクリーンまでの投射距離とを判定し、判定した投射角度及び投射距離と、台形補正手段の補正特性及び投射光学系のズーミング特性とから、設置可能範囲に対する投射型表示装置の相対的な設置位置を判定し、設置場所誘導手段は、スクリーン判定手段が判定した設置位置情報に基づいて投射型表示装置を設置可能範囲に誘導するための表示を行うことを特徴としたものである。
【００１２】
第４の技術手段は、第３の技術手段において、設置場所誘導手段が、複数のＬＥＤを有し、スクリーン判定手段が判定した設置位置情報に基づいて、設置可能範囲に対する投射型表示装置の現在の設置位置をＬＥＤによって視覚的に認識できるように表示することを特徴としたものである。
【００１３】
第５の技術手段は、第３の技術手段において、投射型表示装置のメニュー操作用の方向キーを有し、方向キーのそれぞれにＬＥＤが備えられ、設置場所誘導手段は、スクリーン判定手段が判定した設置位置情報に基づいて、設置可能範囲に対する投射型表示装置の現在の設置位置を方向キーが備えたＬＥＤによって視覚的に認識できるように表示することを特徴としたものである。
【発明の効果】
【００１４】
本発明によれば、光源の電源を入れず、テストパターンなどの調整用の投射画面等を投射表示する必要なく、スクリーンに対する最適設置位置をユーザにわかりやすく表示して誘導することができ、設置時のユーザの負担を軽減することができる。また、ユーザに装置の最適位置を誘導する手段としてＬＥＤによる表示手段を使用することで、ユーザを誘導するための構成を安価に実現することができる。また上記のユーザの誘導を行う手段として、装置のメニュー操作等を行うための上下左右の方向キーを使用することで、追加の回路が少なく簡易な構成で本発明を実現することができ、コスト合理化における大きな効果を奏する。また、設置調整中における消費電力削減が可能となる。
【発明を実施するための最良の形態】
【００１５】
図１は、本発明の投射型表示装置の一実施例を説明するためのブロック図である。投射型表示装置において、映像信号入力端子１からは、投射表示を行うための映像信号が入力される。そして入力した映像信号は、入力処理手段２で信号処理され、台形補正手段３に入力される。台形補正手段３では、投射光の投射軸とスクリーン等の被投射面との相対角度に従って、被投射面における投射画像の形状を補正する。すなわち、ここでは、被投射面に対して正面から投射できない場合（投射軸と被投射面が垂直ではない場合）に、そのままでは台形となってしまう投射画像形状を補正し、歪みのない投射を行うための補正画像データを出力する。
【００１６】
上記のような台形補正手段３については、公知の技術を適用することができ、台形補正手段３では、入力する角度データに従って、台形歪みの補正を行う。
【００１７】
信号出力手段４は、台形補正手段３で歪み補正された画像信号を表示デバイス５に出力する。表示デバイス５には、例えば液晶パネル等が用いられ、歪み補正された画像信号を表示し、その表示画像によって光源光を変調し、図示しない投射レンズ等の投射光学系によってスクリーン等の被投射面に投射画像を表示させることができる。
【００１８】
カメラ６は、投射型表示装置の投射方向を撮影する撮影手段であって、投射型表示装置前方に設置されたスクリーンを撮影するために用いられる。カメラ６より撮影された映像信号情報は、データ変換手段７によってデジタルデータに変換され、デジタルデータを演算する処理を行う演算手段８に入力される。スクリーン判定手段９は、演算手段８から出力されたデータからスクリーンの位置（投射範囲）を検出し、この検出結果に基づいてスクリーンに対する投射型表示装置の相対的な位置情報を判定する。また設置場所誘導手段１０は、そのスクリーン位置の判定情報に基づいて、投射型表示装置の設置可能範囲へ該装置を誘導するように、ユーザに対する指示表示等を行う。
また座標演算手段１１は、スクリーン判定手段９よりの情報に基づいて、台形補正手段３に必要な座標変換するための演算を行い、台形補正手段３に必要なデータを与えて台形歪みを補正する。
【００１９】
図２は、投射型表示装置の設置可能範囲の一例を説明するための図である。ここでは、スクリーン２０に対して投射型表示装置の設置可能範囲を設置可能範囲Ｒ1として示している。例えば、投写型表示装置の投射可能角度範囲（投射型表示装置の設置可能範囲を投射型表示装置の投射光軸の角度範囲により示したもの）２１は、スクリーン２０に対して投射型表示装置の台形補正可能な角度範囲である。また投写型表示装置のスクリーン２０に対する投射可能距離範囲２２は、投射型表示装置がズーム調整などを行うことにより、スクリーン２０内に投射画像を納めることができる距離範囲である。
これら投射可能角度範囲２１と投射可能距離範囲２２に基づいて定められる設置可能範囲Ｒ1に投射型表示装置を設置することで、スクリーン２０の投射範囲内に投射画像を投射することができる。
【００２０】
次いで本実施例の動作例を説明する。図１において、スクリーン判定手段９は、カメラ６により撮影した画像データにおいて、一定輝度範囲にある均一な領域を検出する。そしてこの一定輝度範囲の均一な領域の周辺に、その均一な領域の輝度より低い輝度で一定幅以上の縁があることを検出することで、スクリーン領域（スクリーンの投射範囲）を検出する。これは、スクリーン２０の周囲に設けられたいわゆる黒縁を検出するもので、これにより、スクリーン２０が設置されている場所の情報を得ることができる。
【００２１】
スクリーン判定手段９は、検出したスクリーン２０の黒縁の水平方向及び垂直方向の傾き具合から、投射型表示装置がスクリーン２０に対してどの程度の角度で設置されているかを検出することができる。そして、この検出角度から、投射型表示装置が投射可能角度範囲２１の範囲内にあるかどうかの判定が可能となる。また、カメラ６により撮像した画像データにおけるスクリーン部の大きさと、投射光学系のズームレンズズームポジションなどの情報から、投射型表示装置が投射可能距離範囲２２にあるかどうかの判定が可能となる。
【００２２】
すなわち、スクリーン判定手段９は、カメラ６により撮影した撮影結果に基づいてスクリーン２０の投射範囲を検出し、その検出した投射範囲に基づいてスクリーン２０に対する投射光学系の投射角度とスクリーン２０までの投射距離とを判定し、判定した投射角度及び投射距離と、台形補正手段３の補正特性及び投射光学系のズーミング特性とから、設置可能範囲Ｒ1に対する投射型表示装置の相対的な設置位置を判定する。
【００２３】
図３は、設置可能範囲内へ投射型画像表示装置を誘導するための設置場所誘導手段１０を実現する表示装置の一例を説明するための図である。この表示装置は、例えば、複数のＬＥＤなどにより構成されていて、投射型画像表示装置を移動する際にユーザが視覚的に認識しやすいように、投射型表示装置の天面等に設けられる。ここでは、ＬＥＤを用いた構成例を説明する。
【００２４】
ＬＥＤによる表示装置は、投射型表示装置の設置可能範囲Ｒ1に対して、現在の投射型表示装置がどのような位置関係にあるかを示している。ここでは、スクリーン判定手段９が、カメラ６からの撮影画像に基づいて判定したスクリーン位置（投射型表示装置の設置位置）に従って、設置場所誘導手段１０を実現するＬＥＤ表示装置が、最適な設置位置をユーザに誘導するように所定のＬＥＤを点灯させる。
【００２５】
例えば、投射型表示装置がスクリーン２０に向かって右側にある場合は、ＬＥＤ３１，３２，３３が点灯し、投射型表示装置がスクリーン２０に向かって左側にある場合は、ＬＥＤ３４，３５，３６が点灯する。また投射型表示装置がスクリーン２０に向かって前方にある場合は、ＬＥＤ３１，３４が点灯し、投写型表示装置がスクリーン２０に向かって後方にある場合は、ＬＥＤ３３，３６が点灯する。またこれらの中間位置に投写型表示装置がある場合は、ＬＥＤ３２,３５が点灯する。
【００２６】
このときに、図２に示す設置可能範囲Ｒ1の範囲内に投射型表示装置があるときは、ＬＥＤ３２，３５の両方を点灯させるものとする。そして投射型表示装置が設置可能範囲Ｒ1の左外側領域Ｒ2にあるときは、スクリーンからの距離に応じてＬＥＤ３４，３５，３６のいずれかを点灯させるものとし、また投射型表示装置が設置可能範囲Ｒ1の右外側領域Ｒ3にあるときは、スクリーンからの距離に応じてＬＥＤ３１，３２，３３のいずれかを点灯させる。また、投射型表示装置が設置可能範囲Ｒ1の前方外側領域Ｒ4にあるときは、ＬＥＤ３１，３４の両方を点灯させるものとし、投射型表示装置が設置可能範囲Ｒ1の手前側（後方）外側領域Ｒ5にあるときは、ＬＥＤ３３，３６の両方を点灯させる。
【００２７】
図４は、スクリーン２０に対する投射型表示装置の設置位置の例を説明するための図で、図５は、図４における投射型表示装置の各設置位置においてスクリーン２０を撮影した画像を模式的に示す図である。投射型表示装置が、図４に示す設置位置４１にある場合、投射型表示装置のカメラ撮影画像は、図５（Ａ）に示すような形状となる。スクリーン判定手段９は、この画像から、スクリーン画像Ｓ1の上部ラインが右下がりになっていて、かつこの上部ラインの傾きが所定レベル以上に大きいと判定し、スクリーンに対して設置可能範囲の右外側領域Ｒ3に投射型表示装置があるものと判定する。そして、このときに、撮影した全画像領域に対するスクリーン画像Ｓ1の面積比率から、スクリーン２０と投射型表示装置との距離が中程度の距離であるものと判定し、この結果より図３のＬＥＤ３２を点灯させる。
【００２８】
同様に投射型表示装置が図４に示す設置位置４２にある場合は、投射型表示装置のカメラ撮影画像は、図５（Ｂ）に示すスクリーン画像Ｓ2となり、スクリーン判定手段９は、撮影画像の形状から投射型表示装置がその設置可能範囲の左外側領域Ｒ2にあって、かつ撮影した全画像領域に対するスクリーン画像Ｓ2の面積比率から、スクリーン２０と投射型表示装置との距離が中程度の距離であるものと判定し、この結果より図３のＬＥＤ３５を点灯させる。
【００２９】
同様に投射型表示装置が図４に示す設置位置４３にある場合は、投射型表示装置のカメラ撮影画像は、図５（Ｃ）に示すスクリーン画像Ｓ3となり、スクリーン判定手段９は、撮影画像の形状及び撮影した全画像領域に対するスクリーン領域Ｓ3の面積比率から、投射型表示装置がスクリーン２０に対して中央位置にあり、かつスクリーン２０と投射型表示装置との距離が所定レベル以上に大きいものと判定し、この結果より、投射型表示装置がスクリーン２０に対して設置可能範囲の中央手前外側領域Ｒ5にあるものと判定して、図３のＬＥＤ３３及びＬＥＤ３６を点灯させる。
【００３０】
そして投射型表示装置が図４に示す設置位置４４にある場合は、投射型表示装置のカメラ撮影画像は、図５（Ｄ）に示すスクリーン画像Ｓ4となり、スクリーン判定手段９は、撮影画像の形状及び撮影した全画像領域に対するスクリーン領域Ｓ4の面積比率から、投射型表示装置がスクリーン２０に対して中央位置にあり、かつスクリーン２０と投射型表示装置との距離が中程度であるものと判定し、この結果より、投射型表示装置がスクリーン２０に対して設置可能範囲Ｒ1にあるものと判定して、図３のＬＥＤ３２及びＬＥＤ３５を点灯させる。
【００３１】
以上、本発明の実施例において、投射型表示装置の設置位置を誘導するための表示装置を６個のＬＥＤで構成した例を説明したが、６個未満のＬＥＤによる単純構成にしてもよく、またユーザを誘導しやすいように、それ以上の数のＬＥＤで構成してもよい。
【００３２】
図６及び図７は、設置可能範囲内へ投射型画像表示装置を誘導するための設置場所誘導手段１０を実現する表示装置の他の例を説明するための図で、図６は、投射型表示装置に配置したキー操作部を示す図で、図７はそのキー操作部の拡大図である。図６において、５０は投射型表示装置、５１はキー操作部である。また図７において、５１ａ〜５１ｄは方向キー、５１ｅはＥＮＴＥＲキー、５１ｆはＭＥＮＵキーである。この例では、キー操作部５１は、ユーザが視認しやすいように、投射型表示装置５０の天面の前側に配置されている。
【００３３】
図６及び図７に示す例では、投射型表示装置の設置位置を誘導するための表示を行う手段として、メニュー操作キーとして使用される上下左右の方向キー５１ａ〜５１ｄにＬＥＤ等を設け、これら方向キー５１ａ〜５１ｄを個別に点灯／消灯できるようにしている。そしてこの方向キー５１ａ〜５１ｄを使用して、ユーザに対して、投射型表示装置の最適な設置場所を誘導する。
【００３４】
キー操作部５１は、本来的に投射型表示装置のメニュー操作機能を有し、設置場所誘導機能をこのキー操作部５１に付加することによって、簡易な構成で設置場所誘導手段１０を実現することができる。この例では、上・下・左・右の方向キー５１ａ〜５１ｄの▲印部分がＬＥＤ等で個別に点灯・消灯が可能な構成になっている。
【００３５】
通常のメニュー操作においては、ユーザがＭＥＮＵキー５１ｆを押すと、投射型表示装置の表示手段にＯＳＤによって設定メニューが表示される。ユーザは、表示されたメニューに従って、上・下・左・右の方向キー５１ａ〜５１ｄを押し、ＥＮＴＥＲキー５１ｅで確定することにより、任意のメニュー設定を行うことができる。
【００３６】
上記の方向キー５１ａ〜５１ｄを設置場所誘導手段１０として機能させ、ユーザに対して投射型表示装置の最適な設置場所を誘導する表示を行う場合、例えば、スクリーン２０に対して投射型表示装置の設置可能範囲の後方外側（図２の領域Ｒ5）にある場合は、前方へ誘導するために上を示す方向キー５１ａのＬＥＤのみを点灯させる。同様に設置可能範囲の前方外側（図２の領域Ｒ4）にある場合は、後側へ誘導するために下を示す方向キー５１ｂのＬＥＤのみを点灯させる。
【００３７】
同様に、スクリーン２０に対して投射型表示装置の設置可能範囲の右外側（図２の領域Ｒ3）にある場合は、投射型表示装置を左へ誘導するために左を示す方向キー５１ｃのＬＥＤのみを点灯させ、また投射型表示装置が左外側（図２の領域Ｒ2）にある場合は、右へ誘導するために右を示す方向キー５１ｄのＬＥＤのみを点灯させる。そして、投射型表示装置が設置可能範囲内（図２に示す領域Ｒ1）にある場合は、すべての方向キー５１ａ〜５１ｄのＬＥＤを点灯させる。
【００３８】
上記のＬＥＤの点灯制御の他の例として、設置可能範囲Ｒ1が広い場合に、その範囲内でも、更に最適な範囲へ誘導するためにＬＥＤの表示方法を変化させる制御を行うようにしてもよい。
例えば、ＬＥＤの“点灯”と“点滅”とを使い分け、投射型表示装置がその設置可能範囲Ｒ1に入ったときにＬＥＤを点灯させ、さらに設置可能範囲Ｒ1からさらに最適な設置範囲に入ったときにＬＥＤを点滅させるように制御する。
すなわち、投射型表示装置を設置可能範囲Ｒ1へ誘導する途中の状態では、上下左右の方向キー５１ａ〜５１ｄのＬＥＤのいずれかが点滅し、投射型表示装置が設置可能範囲Ｒ1に入った場合には、方向キー５１ａ〜５１ｄのＬＥＤのすべてを点滅させ、さらに設置可能範囲の中の最適な設置範囲に入った場合には、方向キー５１ａ〜５１ｄのＬＥＤをすべ点灯させるようにする。このような制御によって、さらに最適な設置範囲にユーザを容易に誘導することが可能となる。
【図面の簡単な説明】
【００３９】
【図１】本発明の投射型表示装置の一実施例を説明するためのブロック図である。
【図２】投射型表示装置の設置可能範囲の一例を説明するための図である。
【図３】設置可能範囲内へ投射型画像表示装置を誘導するための設置場所誘導手段を実現する表示装置の一例を説明するための図である。
【図４】スクリーンに対する投射型表示装置の設置位置の例を説明するための図である。
【図５】図４における投射型表示装置の各設置位置においてスクリーンを撮影した画像を模式的に示す図である。
【図６】設置可能範囲内へ投射型画像表示装置を誘導するための設置場所誘導手段を実現する表示装置の他の例を説明するための図である。
【図７】設置可能範囲内へ投射型画像表示装置を誘導するための設置場所誘導手段を実現する表示装置の更に他の例を説明するための図である。
【符号の説明】
【００４０】
１…入力信号端子、２…入力処理手段、３…台形補正手段、４…信号出力手段、５…表示デバイス、６…カメラ、７…データ変換手段、８…演算手段、９…スクリーン判定手段、１０…設置場所誘導手段、１１…座標演算手段、２０…スクリーン、２１…投射可能角度範囲、２２…投射可能距離範囲、３１，３２，３３，３４，３５，３６…ＬＥＤ、４１，４２，４３，４４…設置位置、５１ａ〜５１ｄ…方向キー、５１ｅ…ＥＮＴＥＲキー、５１ｆ…ＭＥＮＵキー、Ｒ1…設置可能範囲、Ｒ2…設置可能範囲の左外側領域、Ｒ3…設置可能範囲の右外側領域、Ｒ4…設置可能範囲の前方外側領域、Ｒ5…設置可能範囲の中央手前外側領域、Ｓ1，Ｓ2，Ｓ3，Ｓ4…スクリーン画像。
【図１】
2005311744.tif 000003
【図２】
2005311744.tif 000004
【図３】
2005311744.tif 000005
【図４】
2005311744.tif 000006
【図５】
2005311744.tif 000007
【図６】
2005311744.tif 000008
【図７】
2005311744.tif 000009